(57)【要約】【課題】必要な時だけに棒金を取り出すことができる棒金管理装置及び棒金管理システムを提供する。【解決手段】棒金管理装置は、棒金を収納する溝部ごとに設置され、棒金の取り出しを阻止する阻止壁と、阻止壁をロックするロック機構と、ロック機構をロック又はロック解除するロック機構駆動部と、を備えるドロワと、ドロワを収納する格納部と、を備える。棒金管理装置は、本体装置からの棒金出金指示を受信した場合、ロック機構駆動部を駆動させてロック機構のロックを解除する。【選択図】図３
2014052706.tif 000002
【特許請求の範囲】
【請求項１】
棒金を収納する溝部ごとに設置され、前記棒金の取り出しを阻止する阻止壁と、前記阻止壁をロックするロック機構と、前記ロック機構をロック又はロック解除するロック機構駆動部と、を備えるドロワと、
前記ドロワを収納する格納部と、
を備える棒金管理装置。
【請求項２】
前記阻止壁は、
前記溝部の長手方向両端に設けられる請求項１記載の棒金管理装置。
【請求項３】
硬貨の金種ごとの数量を格納する金種テーブルを備え、前記数量が閾値を下回った場合、この金種の棒金の出金指示を送信する本体装置から前記出金指示を受信した場合、当該棒金を格納する前記溝部のロック機構駆動部を駆動させてロック機構のロックを解除する請求項２記載の棒金管理装置。
【請求項４】
前記溝部は、
前記棒金を取り出す場合、前記棒金の包装を傷つけるカッタを備える請求項３記載の棒金管理装置。
【請求項５】
金種ごとに数量を格納する金種テーブルを備え、前記数量が閾値を下回った場合、この金種の棒金の出金指示を送信する本体装置と、
棒金を収納する溝部ごとに設置され、前記棒金の取り出しを阻止する阻止壁と、前記阻止壁をロックするロック機構と、前記ロック機構をロック又はロック解除するロック機構駆動部と、を備えるドロワと、ドロワを収納する格納部と、を備え、前記出金指示を受信した場合、当該棒金を格納する前記溝部のロック機構駆動部を駆動させてロック機構のロックを解除する棒金管理装置と、
を備える棒金管理システム。
【請求項６】
前記阻止壁は、
前記溝部の長手方向両端に設けられる請求項５記載の棒金管理システム。
【発明の詳細な説明】
【技術分野】
【０００１】
本発明の実施形態は、棒金管理装置及び棒金管理システムに関する。
【背景技術】
【０００２】
ＰＯＳ（Ｐｏｉｎｔ  Ｏｆ  Ｓａｌｅｓ）端末などの金銭管理装置においては、現在いくらの現金がその端末に格納されているかを把握し、かつその把握した金額と実際に格納されている現金とが正確に合っていることが重要である。
【０００３】
そこで、金銭管理装置は、預かり銭及び釣銭を計算管理する本体部と、紙幣を格納して管理する紙幣管理装置と、硬貨を格納して管理する硬貨管理装置と、硬貨を所定枚数ずつ包装した、いわゆる棒金を格納して管理する棒金管理装置と、を備え、金種ごとの数と合計金額とを計算するように構成されている。
【０００４】
オペレータは特定の硬貨が不足すると棒金管理装置から不足した棒金を取り出し、開封して硬貨管理装置に投入する。
【０００５】
しかし、棒金をいつでも取り出せるようにすると、棒金が紛失する恐れがある。
【０００６】
この点に関し、棒金に無線タグを貼付し、無線タグリーダライタによって棒金の金種及び数量を検知する技術が提案されている。
【０００７】
しかし、この技術によっても棒金が盗難される可能性は残る。
【先行技術文献】
【特許文献】
【０００８】
【特許文献１】特許第４８４１４６１号公報
【発明の概要】
【発明が解決しようとする課題】
【０００９】
従って、必要な時だけに棒金を取り出すことができる棒金管理装置及び棒金管理システムが求められている。
【課題を解決するための手段】
【００１０】
上記の課題を解決するために、本発明の一実施形態は、棒金を収納する溝部ごとに設置され、棒金の取り出しを阻止する阻止壁と、阻止壁をロックするロック機構と、ロック機構をロック又はロック解除するロック機構駆動部と、を備えるドロワと、ドロワを収納する格納部と、を備える棒金管理装置を提供する。
【図面の簡単な説明】
【００１１】
【図１】棒金管理装置を備える金銭管理装置の外観斜視図である。
【図２】棒金管理装置の外観斜視図である。
【図３】ドロワを引き出した状態の棒金管理装置の外観斜視図である。
【図４】溝部の正面断面図である。
【図５】溝部の側面断面図である。
【図６】溝部と阻止壁の位置関係を示す正面図である。
【図７】溝部と阻止壁の位置関係を示す側面断面図である。
【図８】阻止壁が押し下げられた場合を示す正面図である。
【図９】阻止壁が押し下げられた場合を示す側面断面図である。
【図１０】金銭管理装置の構成を示すブロック図である。
【図１１】金銭管理装置の動作を示すフローチャートである。
【発明を実施するための形態】
【００１２】
以下、棒金管理装置及び棒金管理システムの一実施形態について、図面を用いて詳細に説明する。
【００１３】
本実施形態の棒金管理装置は、棒金を収納する溝部ごとに設置され、棒金の取り出しを阻止する阻止壁と、阻止壁をロックするロック機構と、ロック機構をロック又はロック解除するロック機構駆動部と、を備えるドロワと、ドロワを収納する格納部と、を備える。
【００１４】
図１は、本実施形態の棒金管理装置２０を備える金銭管理装置１の外観斜視図である。図１に示すように、ＰＯＳ（Ｐｏｉｎｔ  Ｏｆ  Ｓａｌｅｓ）端末などの金銭管理装置１は、紙幣を格納し、紙幣の金種ごとの数量を計数管理する紙幣管理装置１３と、硬貨を格納し、硬貨の金種ごとの数量を計数管理する硬貨管理装置１２と、センサ４１を備え、金種ごとに所定枚数ずつ包装された硬貨（以下、棒金という。）の金種ごとの数量をこのセンサ４１によって検知する棒金管理装置２０と、ディスプレイ１１Ｄを備え、紙幣管理装置１３、硬貨管理装置１２、及び棒金管理装置２０の出力から格納されている現金の合計金額を算出し、ディスプレイ１１Ｄに表示する本体装置１１と、を備える。
【００１５】
本体装置１１は、金銭管理装置１がＰＯＳ端末の場合は、売上金額と預かり金額とから釣銭を計算する。
【００１６】
また、本体装置１１は、金種ごとの数量を格納する金種テーブル１１Ａを備える。
【００１７】
紙幣管理装置１３は本体装置１１に接続される。紙幣管理装置１３は、紙幣投入孔と紙幣排出孔とを備え、紙幣投入孔から投入された紙幣を金種ごとに格納し、投入された紙幣の金種ごとの数量を本体装置１１に送信する。
【００１８】
硬貨管理装置１２は紙幣管理装置１３に接続される。硬貨管理装置１２は、硬貨投入孔と硬貨排出孔とを備え、硬貨投入孔から投入された硬貨を金種ごとに格納し、投入された硬貨の金種ごとの数量を、紙幣管理装置１３を経由して本体装置１１に送信する。
【００１９】
従って、本体装置１１は紙幣管理装置１３及び硬貨管理装置１２の出力から預かり金額の合計を算出することが可能となる。
【００２０】
本体装置１１は、預かり金額から売上金額を差し引き、釣銭を算出する。本体装置１１は、さらに釣銭として支払う金種ごとの枚数を計算し、硬貨管理装置１２及び紙幣管理装置１３に出金指示する。この出金指示の送信の際、本体装置１１は出金する金種ごとの数量を金種テーブル１１Ａの各数量から差し引く。
【００２１】
図２は、棒金管理装置２０の外観斜視図である。図３は、ドロワ２１を引き出した状態の棒金管理装置２０の外観斜視図である。
【００２２】
図２及び図３に示すように、棒金管理装置２０は棒金を格納するドロワ２１と、ドロワ２１を収納する格納部２０Ａと、を備える。
【００２３】
ドロワ２１は、ドロワ２１の幅方向に棒金を収納する横溝部２３Ａと、ドロワ２１の引き出し方向に棒金を収納する縦溝部２３Ｂと、を備える。以下、横溝部２３Ａ及び縦溝部２３Ｂを併せて溝部２３という。ドロワ２１は溝部２３の長手方向両端部に棒金の取り出しを阻止する阻止壁３０を備える。
【００２４】
図４は、溝部２３の正面断面図である。図５は、溝部２３の側面断面図である。図４及び図５に示すように、溝部２３は溝内部の底面部にセンサ４１を備える。センサ４１は、例えば磁気センサ又は光センサを用いることができる。
【００２５】
磁気センサは、磁束の変化により金属の種類に応じた電圧を出力する。硬貨は金種ごとに金属の組成が異なる。従って、棒金管理装置２０は磁気センサの出力に基づいて棒金の有無及び金種を判定できる。
【００２６】
光センサは、発光素子と受光素子を備え、受光素子は棒金が反射する発光素子からの光を受光し、光の強度に応じた電圧を出力する。従って、棒金の金種ごとの収納位置を決めておけば、棒金管理装置２０は光センサの出力に基づいて棒金の有無及び金種を判定できる。
【００２７】
溝部２３は、さらに長手方向中央部にカッタ４０を備える。カッタ４０は、収納される棒金の方向に向けて歯４３を有する。カッタ４０は、カッタ４０を上方に向けて付勢する弾性部材４２を有し、溝部２３に上下に回動可能に取り付けられる。
【００２８】
棒金が溝部２３に収納される場合、カッタ４０は下方に回動し、棒金の包装を傷つけない。
【００２９】
棒金が溝部２３から取出される場合、カッタ４０は棒金の包装を傷つける。従って、棒金から硬貨を取り出しやすくなる。
【００３０】
図６は、溝部２３と阻止壁３０の位置関係を示す正面図である。図７は、溝部２３と阻止壁３０の位置関係を示す側面断面図である。
【００３１】
図６及び図７に示すように、溝部２３は、阻止壁３０を上方に付勢する弾性部材３１と、阻止壁３０が下方に押し下げられることを阻止するロック機構３２と、ロック機構３２をロックまたはロック解除するロック機構駆動部３３と、を備える。
【００３２】
阻止壁３０は、通常はロック機構３２がロックされているため、上方に変位している。従って、オペレータは溝部２３に収納されている棒金を取り出すことができない。
【００３３】
図８は、阻止壁３０が押し下げられた場合を示す正面図である。図９は、阻止壁３０が押し下げられた場合を示す側面断面図である。
【００３４】
図８及び図９に示すように、棒金管理装置２０はロック解除指示を本体装置１１から受信すると、ロック機構駆動部３３を駆動させてロック機構３２を矢印Ｘ１の方向に変位させてロックを解除する。
【００３５】
オペレータは、ロックが解除されたため、阻止壁３０を矢印Ｘ２の方向に押し下げ、棒金を取り出すことができる。
【００３６】
本体装置１１は、金種テーブル１１Ａに、溝部２３ごとの棒金の有無も格納している。従って、本体装置１１は、不足している硬貨の金種を判定し、この金種の棒金を格納する溝部２３だけのロックを解除する。
【００３７】
図１０は、金銭管理装置１の構成を示すブロック図である。図１０に示すように、金銭管理装置１は、本体装置１１と、紙幣管理装置１３と、硬貨管理装置１２と、棒金管理装置２０と、を備える。
【００３８】
本体装置１１は、ＣＰＵ（Central Processing Unit）などの演算装置６７と、メモリ、ハードディスクドライブなどの記憶装置６８と、通信を行う通信インターフェース（以下、インターフェースをＩ／Ｆという。）６６と、を備える。
【００３９】
本体装置１１は、通信Ｉ／Ｆ６６を介して、紙幣管理装置１３及び上位機器であるコントローラ６９と接続される。
【００４０】
棒金管理装置２０は、ＣＰＵなどの制御部６２と、メモリ、ハードディスクドライブなどの記憶装置６３と、通信を行う通信Ｉ／Ｆ６１と、センサ４１と、ドロワ２１の開閉を検知するドロワセンサ６５と、溝部２３ごとの阻止壁３０のロック機構３２のロック及びロック解除を行うロック機構駆動部３３と、を備える。
【００４１】
ドロワ２１に収納されている棒金の検知は、ドロワ２１が開閉される度に行われ、その検知結果は紙幣管理装置１３を介して本体装置１１に送信される。
【００４２】
棒金がドロワ２１から出金され、開封されて硬貨管理装置１２に投入された場合、硬貨管理装置１２は硬貨の金種と枚数とを紙幣管理装置１３を介して本体装置１１に送信するとともに、金種テーブル１１Ａを更新する。
【００４３】
本体装置１１は、出金された棒金の金種と枚数とが、硬貨管理装置１２に投入された金種及び枚数と合っているかを判定し、合っていると判定できなかった場合にエラー通知を本体装置１１の親機であるコントローラ６９に送信する。
【００４４】
図１１は、金銭管理装置１の動作を示すフローチャートである。図１１においては、センサ４１を２つ用いた例について説明する。
【００４５】
図１１に示すように、ステップ８０１において、棒金管理装置２０は１会計が終了したかを判定する。棒金管理装置２０は１会計が終了していないと判定した場合、ステップ８０１に戻り、終了したと判定した場合、ステップ８０２に進む。
【００４６】
ステップ８０２において、棒金管理装置２０は、棒金出金指示を本体装置１１から受信したかを判定する。
【００４７】
本体装置１１は、硬貨管理装置１２からの出力に基づいて１会計が終了するごとに金種テーブルを更新する。金種テーブル１１Ａには、金種ごとの数量が格納されている。本体装置１１は、金種テーブル１１Ａが更新された場合、各硬貨の数量が閾値以下であるかを判定する。本体装置１１は、硬貨の数量が閾値以下である金種について、棒金の有無を判定する。この金種の棒金が棒金管理装置２０に存在する場合、その棒金が収納されている溝部２３からの出金指示を棒金管理装置２０に送信する。
【００４８】
棒金管理装置２０は、棒金出金指示を本体装置１１から受信したと判定した場合、ステップ８０３に進み、受信したと判定しない場合、ステップ８０１に戻る。
【００４９】
棒金管理装置２０は、指定された溝部２３のロック機構駆動部３３を駆動させてロック機構３２のロックを解除し、ステップ８０１に戻る。
【００５０】
以上述べたように、本実施形態の棒金管理装置２０は、棒金を収納する溝部２３と、溝部２３ごとに設置され、棒金の取り出しを阻止する阻止壁３０と、阻止壁３０をロックするロック機構３２と、ロック機構３２をロック又はロック解除するロック機構駆動部３３と、を備えるドロワ２１と、ドロワ２１を収納する格納部２０Ａと、を備える。棒金管理装置２０は、本体装置からの棒金出金指示を受信した場合、ロック機構駆動部３３を駆動させてロック機構３２のロックを解除する。
【００５１】
従って、必要な時だけに棒金を取り出すことができ、棒金の紛失を効果的に防止できるという効果がある。
【００５２】
いくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【符号の説明】
【００５３】
１１：本体装置
１２：硬貨管理装置
１３：紙幣管理装置
２０：棒金管理装置
３０：阻止壁
２１：ドロワ
４１：センサ
【図１】
2014052706.tif 000003
【図２】
2014052706.tif 000004
【図３】
2014052706.tif 000005
【図４】
2014052706.tif 000006
【図５】
2014052706.tif 000007
【図６】
2014052706.tif 000008
【図７】
2014052706.tif 000009
【図８】
2014052706.tif 000010
【図９】
2014052706.tif 000011
【図１０】
2014052706.tif 000012
【図１１】
2014052706.tif 000013